(57)【要約】      （修正有）【課題】床材の張り替え改修が容易かつ迅速に行え、施工性に優れた床材の施工方法及び床構造を提供する。【解決手段】所定の区画内に設けられた床下地材１４の上に、長辺側の一方の側面に上下部が突出する雌実部４，５が、また他方の側面に中央部が突出する雄実部６がそれぞれ設けられた長尺状の床材２を、接着により敷設する床材の施工方法において、床下地材１４の上に、適宜な間隔をおいてホットメルト接着剤８を列状に敷設する工程と、この上に、床材２を、隣接する床材同士では雌実部と雄実部とを嵌合させて敷設する工程と、床材を敷設する工程の中で、所定の床材３については下部の雌実部５を切り欠いた床材３を上記区画内に少なくとも一列敷設する工程と、床材の上から電磁誘導加熱器１０による高周波を照射し、ホットメルト接着剤８を誘導加熱して床材を床下地材に接着する工程と、からなる。【選択図】図４
2005155189.tif 000002
【特許請求の範囲】
【請求項１】
所定の区画内に設けられた床下地材の上に、長辺側の一方の側面に上下部が突出する雌実部が、また他方の側面に中央部が突出する雄実部がそれぞれ設けられた長尺状の床材を、接着により敷設する床材の施工方法において、
上記床下地材の上に、上記床材の長辺方向と直交する方向に、適宜な間隔をおいてホットメルト接着剤を列状に敷設する工程と、
上記ホットメルト接着剤の上に、上記床材を、隣接する床材同士では上記雌実部と雄実部とを嵌合させ、かつ床材の端部が上記ホットメルト接着剤の上部に位置するように敷設する工程と、
上記床材を敷設する工程の中で、所定の床材については上記下部の雌実部を切り欠いた床材を上記区画内に少なくとも一列敷設する工程と、
上記床材の上から電磁誘導加熱器による高周波を照射し、上記ホットメルト接着剤を誘導加熱して溶融し、冷却固定化して床材を上記床下地材に接着する工程と、からなることを特徴とする床材の施工方法。
【請求項２】
上記床材として、長辺側及び短辺側の一方の側面に上下部が突出する雌実部がまた他方の側面に中央部が突出する雄実部がそれぞれ設けられたものを用い、
上記長辺側の下部の雌実部を切り欠いた床材については、さらに短辺側の雌実部を切り欠いて敷設することを特徴とする請求項１に記載の床材の施工方法。
【請求項３】
上記ホットメルト接着剤は、上記誘導加熱される金属箔、金属プレートまたは金属ネットの両面に感熱可塑性接着剤を塗布したものであることを特徴とする請求項１又は請求項２に記載の床材の施工方法。
【請求項４】
上記誘導加熱される金属は、強磁性体からなることを特徴とする請求項３に記載の床材の施工方法。
【請求項５】
所定の区画内に設けられた床下地材の上に、長辺側の一方の側面に上下部が突出する雌実部が、また他方の側面に中央部が突出する雄実部がそれぞれ設けられた長尺状の床材を、接着により敷設した床構造において、
上記床下地材の上に、上記床材の長辺方向と直交する方向に、適宜な間隔をおいて列状に敷設され、電磁誘導加熱器による高周波の誘導加熱により溶融し、冷却固定化して上記床材を上記床下地材に接着するホットメルト接着剤と、
上記ホットメルト接着剤の上部に配置され、隣接するもの同士では上記雌実部と雄実部とを嵌合させて敷設した床材と、
上記区画内に少なくとも一列配置され、上記下部の雌実部を切り欠いて敷設された床材と、からなることを特徴とする床構造。
【発明の詳細な説明】
【技術分野】
【０００１】
本発明は、ホットメルト接着剤を用いた床材の施工方法及び床構造に関するものである。
【背景技術】
【０００２】
従来技術として、特許文献１にホットメルト接着剤を用いた床材の施工方法が開示されている。この施工方法では、床材の裏面の一部をホットメルト接着剤により床下地面に接着すると共に、該床材の裏面の他の一部を両面粘着テープにより床下地面に接着する。ホットメルト接着剤による接着部は、長方形状の床材の長手方向の両端部と、必要に応じて中間部とに設け、それらの間隙に両面粘着テープによる接着部を設け、そして床材の表面からの高周波照射により、ホットメルト接着剤を加熱して接着させる工法である。
【０００３】
また、特許文献２には、床タイルの下面又は側面に板状又はフィルム状のホットメルト接着剤を配置し、このホットメルト接着剤の誘導加熱により床タイルを接着する床タイルの施工方法が開示されている。特許文献３には、床タイルのバッカー層側にホットメルト接着剤層を設けることで乾式法の施工ができ、床タイル貼り替え時には再度ホットメルト接着剤層を溶融させることにより、簡単に床タイルを剥がすことができる床タイルの施工法が開示されている。
【０００４】
【特許文献１】特開２００３−１７６６１８号公報
【特許文献２】特開２００２−３１７５４４号公報
【特許文献３】特許第３１４７７６４号公報
【発明の開示】
【発明が解決しようとする課題】
【０００５】
上記特許文献１の施工方法では、ホットメルト接着剤と両面粘着テープを用いて床材を敷設することで、リフォームでの解体時には高周波をあてて再剥離することが容易であるとされている。しかし、解体時等では両面粘着テープをどのような手段によって剥がすのか、あるいはこのテープの粘着剤の処置等の具体的な手段は記載されていない。通常、一般的な床材として、雌実部と雄実部とを嵌合接合して敷設するフローリング材が用いられているが、このような床材を用いた場合には、リフォーム等の際に修理の必要な箇所のみを剥離するのは困難であり、このため全体の床材を剥離除去してしまう必要があるという問題があった。
【０００６】
また、特許文献２は床タイルの施工方法、特許文献３は床タイル及び製造方法に関する発明であり、ともにホットメルト接着剤を用いて床タイルを接着する技術の採用により、下地への固着が容易であり、また再加熱により剥離が容易でかつ床タイルを傷めないというものである。しかし、これら床タイルの施工技術は、そのままでは雌実部と雄実部同士を嵌合接続した床材には適用できないという問題がある。
【０００７】
本発明は、上記問題点に鑑みてなされたものであり、床材の施工及び張り替え改修が容易かつ迅速に行え、施工性に優れた床材の施工方法及び床構造を提供することを目的とする。
【課題を解決するための手段】
【０００８】
以上の技術的課題を解決するため、本発明は、所定の区画内に設けられた床下地材１４の上に、長辺側の一方の側面に上下部が突出する雌実部４，５が、また他方の側面に中央部が突出する雄実部６がそれぞれ設けられた長尺状の床材２を、接着により敷設する床材の施工方法において、上記床下地材１４の上に、上記床材の長辺方向と直交する方向に、適宜な間隔をおいてホットメルト接着剤８を列状に敷設する工程と、上記ホットメルト接着剤８の上に、上記床材２を、隣接する床材同士では上記雌実部と雄実部とを嵌合させ、かつ床材の端部が上記ホットメルト接着剤８の上部に位置するように敷設する工程と、上記床材を敷設する工程の中で、所定の床材３については上記下部の雌実部５を切り欠いた床材３を上記区画内に少なくとも一列敷設する工程と、上記床材の上から電磁誘導加熱器１０による高周波を照射し、上記ホットメルト接着剤８を誘導加熱して溶融し、冷却固定化して床材を上記床下地材に接着する工程と、からなる。
【０００９】
また、本発明に係る床材の施工方法は、上記床材２として、長辺側及び短辺側の一方の側面に上下部が突出する雌実部がまた他方の側面に中央部が突出する雄実部がそれぞれ設けられたものを用い、上記長辺側の下部の雌実部５を切り欠いた床材３については、さらに短辺側の雌実部５を切り欠いて敷設することである。
【００１０】
また、本発明に係る床材の施工方法において、上記ホットメルト接着剤８は、上記誘導加熱される金属箔、金属プレートまたは金属ネットの両面に感熱可塑性接着剤を塗布したものである。
【００１１】
本発明に係る床材の施工方法において、上記誘導加熱される金属は、強磁性体からなるものである。
【００１２】
また、本発明は、所定の区画内に設けられた床下地材１４の上に、長辺側の一方の側面に上下部が突出する雌実部４，５が、また他方の側面に中央部が突出する雄実部６がそれぞれ設けられた長尺状の床材２を、接着により敷設した床構造において、上記床下地材の上に、上記床材の長辺方向と直交する方向に、適宜な間隔をおいて列状に敷設され、電磁誘導加熱器１０による高周波の誘導加熱により溶融し、冷却固定化して上記床材を上記床下地材に接着するホットメルト接着剤８と、上記ホットメルト接着剤８の上部に配置され、隣接するもの同士では上記雌実部４，５と雄実部６とを嵌合させて敷設した床材２と、上記区画内に少なくとも一列配置され、上記下部の雌実部５を切り欠いて敷設された床材３と、からなるものである。
【発明の効果】
【００１３】
本発明に係る床材の施工方法によれば、雌実部、雄実部を有する床材を用い、ホットメルト接着剤により床材を接着施工することとしたので、施工が容易でありしかもしっかりと床下地材に床材を貼着することができ、また床材の下部雌実部を切り欠いたものを用いたので、リフォーム時にはこの部分から床材を簡単に剥離することができ、これにより一区画内の破損した床材を含む部分的な床材の張り替え改修が、容易かつ迅速に行えるという効果を奏する。
【００１４】
また、上記工法では、一区画内の複数の箇所から床材を剥がすことが可能になり、剥離作業が迅速に行え、また床下地材を傷めることがなく、二重床等の床下地材を再利用することが可能である。さらに、ホットメルト接着剤を用いた施工では、低騒音低振動で、隣室に居住者がいても迷惑にならない改修が可能であり、分別回収による廃材処理費の低減が図れるという利点がある。
【００１５】
本発明に係る床構造によれば、雌実部、雄実部を有する床材を用い、ホットメルト接着剤により床材を接着したので、施工が容易でかつしっかりと床下地材に貼着でき、また床材の下部雌実部を切り欠いたものを用いたので、リフォーム時にはこの部分から床材を簡単に剥離することができ、一区画内の部分的な床材の張替え改修が、容易かつ迅速に行えるという効果を奏する。
【発明を実施するための最良の形態】
【００１６】
以下、本発明に係る床材の施工方法及び床構造の実施の形態を、図面を用いて詳細に説明する。この実施の形態に係る床は、独立住宅、集合住宅、公共施設などの建物の二重床等の床に適用される。
【００１７】
上記床材の施工に用いられる床材２は、図１に示すように床の仕上げ用のフローリング材である。この床材２は長尺状板材であり、長辺側の一の側面に雌実部４，５（上下部に設けられ中央に溝部を形成する細長い突起）が、また他の側面には雄実部６（中央部に設けられた細長い突起）が形成されている。さらに、床材２の短辺側の一の側面には雌実部４，５が、また他の側面には雄実部６が形成されている。上記雌実部４，５の溝部は他の床材２の雄実部６と嵌合可能であり、また上記雄実部６は他の床材２の雌実部４，５と嵌合可能である。
【００１８】
上記床材の施工においては図２に示すように、建物の部屋等、一連の床材２同士の嵌合が連続して床が形成される所定の区画内に、根太等の上にパーティクルボード等を敷設した床下地材１４を施工し、この床下地材１４の上面部に、上記床材２を接着により敷設する。
【００１９】
まず床下地材１４の墨出しの工程では、床材２の長辺方向と直交する方向に、適宜な間隔をおいてホットメルト接着剤８が列状に配置できるように墨を設定する。また、この墨出しにおいては、上記ホットメルト接着剤８の上部に、上記床材２の短辺側の端部が必ず位置するように、ホットメルト接着剤８の配置位置と、床材２の配置位置を決める。
【００２０】
上記ホットメルト接着剤８は、電磁誘導加熱器１０による高周波磁束によってうず電流が誘導され、ジュール加熱される金属箔、金属プレートまたは金属ネット（金属としては、鉄、アルミニウム、ニッケル、ステンレス、亜鉛、銅、錫等がある）などのテープ状の金属ベース１２の表裏両面に感熱可塑性接着剤１３を塗布したものである。ここでは、金属ベース１２として強磁性体からなる金属箔の両面に、感熱可塑性接着剤１３が塗布された、テープ状のホットメルト接着剤８を使用する。
【００２１】
次の工程では図２に示すように、上記墨出しを行った床下地材１４の上面に、ホットメルト接着剤８を配置する。このとき、ホットメルト接着剤８をピンと張り、ステープルなどの止着具１６を用いて貼り始めの端部と中央の２点を固定する。貼り終りの端部は、ホットメルト接着剤８がしわにならないように、上記止着具１６で固定せずに開放しておく。ホットメルト接着剤８の貼り始めは、床材２の長辺方向と平行に且つ壁１５周りの少し内側に、ホットメルト接着剤８を配置する。
【００２２】
そして、上記ホットメルト接着剤８の上部に上記床材２を配置する。図３に示すように、床材２の張り始めの一列目は、床材２を配置後、長辺側の雄実部６の両端部近傍にフィニッシュネイル１８を打ち込み、仮固定をする。二列目の床材２を配置する場合には、一列目の床材２の長辺側の雄実部６に、二列目の床材２の長辺側の雌実部４を嵌合させて接合する。
【００２３】
各列には、複数の床材２が直線状に配置されるが、これら床材２同士についても、各短辺側に設けた雄実部６と雌実部４，５とを嵌合させて接合する。これら床材２は、上記ホットメルト接着剤８のテープ幅の略中央部の上に床材２の端部が位置するよう配置する。三列目以降の床材２についても、同様にして敷設し、また異なる列の床材２同士は千鳥状にずらして配置する。
【００２４】
上記床材２を敷設する工程の中で、例えば、１８列目の床材３（一又は複数枚）を配置する場合には、図１（ｂ）、図４などに示すように、床材の上下部の雌実部４，５の内、下部の雌実部５を切り欠いた（切欠部７）床材３を用い、これを配置する。この切欠部７は、床材の長辺側の雌実部５及び短辺側の雌実部５をそれぞれ切り欠いて形成する。また、この１８列目の床材３については、フィニッシュネイル１８の打ち込みを行わないで、電磁誘導加熱器１０による加熱接着のみで固定する。
【００２５】
リフォーム等で床材３を剥がすとき、この床材３の切欠部７により隣接する床材２の雄実部６とは嵌合していないので、床材３は再加熱により容易に剥離することができる。このとき、長辺側の雌実部５及び短辺側の雌実部５の両方を切り欠いているため、長辺側に隣接する床材のみならず短辺側に隣接する床材の雄実部６とも嵌合していないため、床材３は容易にかつ単独でも剥離可能である。補強のため、床材３については、特にホットメルト接着剤８を他の床材２に比べて多く、或いは全面に用いることとしてもよい。
【００２６】
上記１８列目の床材３に関して、特別に雌実部５を切り欠いたものであることの目印を、床材３自体或いはその近傍の適当な箇所に設ける。この目印として、ここでは１８列目の床材３の室内の両端部の壁１５面に釘を打ち込んでおく。上記切欠部７を設けた床材３は、部屋などの一の区画内に、少なくとも一列設けておく。通常、この区画の大きさに応じて、上記床材３の配置箇所の数を増やしておく。床材３の配置数により、部分的なリフォーム等で床材２，３を剥がす領域が決められる。次の、１９列目以降の床材２については、１７列目までの床材２と同様に雌実部４，５と雄実部６同士を嵌合させ、フィニッシュネイル１８を打ち込んで仮固定する。
【００２７】
上記床材２の仮固定が終了すれば、電磁誘導加熱器１０を用いた誘導加熱接着により本固定を行う。この電磁誘導加熱器１０は磁気センサーを内蔵しており、作業者は、この磁気センサーを利用してホットメルト接着剤８が配置された位置を確認し、その真上を照射する。この実施の形態では、強磁性体からなる金属ベースをホットメルト接着剤８に用いたことにより上記磁気センサーがこれを検知し、ホットメルト接着剤８の位置確認が容易に行える。
【００２８】
電磁誘導加熱器１０の照射後は、照射部に施工者の体重を乗せて圧締冷却固定を行う。貼り納め列の床材については、上記下部の雌実部５を切り欠いた床材３を用いる。この床材３については、フィニッシュネイル１８の打ち込みを行わないで、電磁誘導加熱器１０による誘導加熱接着のみの固定を行う。以上で、床材２の敷設施工の工程を完了する。
【００２９】
次に、室内のリフォーム等で床材２を取り替えるときの、上記床材２を取り外す工法について説明する。先ず、床材２の部分的な損傷等により床材２の一部を張り替える場合について説明する。このときの作業工程では、先ず図５に示すように、取り替えたい床材２Ｒから最も近くにある床材３を上記目印の釘によって見つけ、ここから取り替える床材２Ｒに向けて剥し始める。このとき、床材３は下部の雌実部５を切り欠いたものであるため、また、フィニッシュネイル１８の打ち込みがされてないため、床材３は接着剤の溶融により容易に剥がすことができる。
【００３０】
作業としては、上記床材３をサッカー（吸盤が２個付いた施工補助具）等により吸着して上方向に引っ張りながら、床材３に電磁誘導加熱器１０を再照射し、固化した感熱可塑性接着剤１３を溶融して床材３を剥がす。この床材３から先の床材２Ｒまでの床材２については、バール等の工具を用いて床材２を上方向にこじりながら、電磁誘導加熱器１０を再照射して端部から床材２を剥がす。最終的には、取り替えたい床材２の箇所まで剥がし、残ったフィニッシュネイル１８は工具で抜き取る。そして、ホットメルト接着剤８については、間に当て板をするか或いは少し浮かした状態で電磁誘導加熱器１０を照射して溶融し剥がす。
【００３１】
上記床材２，２Ｒを剥がした箇所に新しい床材２を敷設する場合には、先ず上記と同様に新しくホットメルト接着剤８を配置する。この上に新しい床材２を配置し、既設の床材２の雄実部６に新床材２の雌実部４を嵌合させ、これにフィニッシュネイル１８を打ち込んで仮固定する。
【００３２】
最後に、上記剥がし始めた床材３に該当する箇所については、これと同様に、下部の雌実部５を切り欠いた床材３を用いる。そして、この床材３については、フィニッシュネイル１８の打ち込みを行わない。上記仮固定の後、電磁誘導加熱器１０を用いた誘導加熱接着により本固定を行い、床材２の張替え工程を終了する。この施工による室内のリフォームでは、床材２の一部のみの取り替えが可能となり、また作業も容易に行え、残される床材或いは床下地材１４を傷つけることがなく全体の仕上がりも良好である。
【００３３】
区画内の床材２の全部を張り替える場合には、上記貼り納めた列の床材３から剥がす一方で、上記１７列目の床材３からも同時に剥がすことが可能である。これらの床材３は、上記のように接着剤の溶融により容易に剥がすことができる。このように同時に複数箇所から床材２，３を剥がすことで全体の作業が迅速に行える。そして、この床材３の一列を剥がした状態で、以降の列の床材２を上記と同様にして剥がす。ホットメルト接着剤８についても、電磁誘導加熱器１０を照射して剥がす。新しく床材２を敷設する場合の工程は、上記全体の敷設の場合と同様に、墨出し、ホットメルト接着剤８の配置、床材２，３の仮固定、床材２，３の本固定の順に行う。
【００３４】
したがって、上記実施の形態に係る工法では、雌実部、雄実部を有する床材を用い、ホットメルト接着剤により床材を接着施工することとしたので、施工が容易でしっかりと床下地材に床材を貼着することができ、また床材の下部雌実部を切り欠いたものを敷設する区画の少なくとも一列に用いたので、リフォーム時にはこの部分から床材を簡単に剥離することができる。これにより、一区画（部屋など）内の破損した床材を含む部分的な床材の張り替え改修が、容易かつ迅速に行える。
【００３５】
また、上記工法では、一区画内の複数の箇所から床材を剥がすことが可能になり、剥離作業が迅速に行え、また床下地材を傷めることもなく、床下地材の再利用が可能である。また、一般にホットメルト接着剤は、ホルムアルデヒトなどの揮発溶融剤を含まないので、シックハウスなどの病気を引き起こすこともなく、加えて床材の剥離及び敷設が静かに行えて低騒音低振動での改修が可能であり、分別回収による廃材処理費の低減が図れることになる。
【図面の簡単な説明】
【００３６】
【図１】本発明の実施の形態に係る床材を示した図であり、（ａ）は斜視図を、（ｂ）は雌実部を切り欠いた床材の部分図である。
【図２】本発明の実施の形態に係り、ホットメルト接着剤を敷設した様態を示す図である。
【図３】本発明の実施の形態に係り、床材を仮固定した様態を示す図である。
【図４】本発明の実施の形態に係り、雌実部を切り欠いた床材を敷設した状態を示す部分断面図である。
【図５】本発明の実施の形態に係り、床材を剥がす工程の説明図である。
【符号の説明】
【００３７】
２，３  床材
４，５  雌実部
６  雄実部
８  ホットメルト接着剤
１０  電磁誘導加熱器
１４  床下地材
【図１】
2005155189.tif 000003
【図２】
2005155189.tif 000004
【図３】
2005155189.tif 000005
【図４】
2005155189.tif 000006
【図５】
2005155189.tif 000007